(57)【要約】【課題】目詰まり時のメンテナンスが容易であり、デザイン上の要請に応えることができ、しかも散水プレートの設計と製造が容易なシャワーヘッドを提供すること。【解決手段】ヘッド本体２と、板状の部分８に複数の散水孔１０が形成された硬質のヘッドカバー３と、板状の部分１５の表面１５ａに、散水孔１０に挿入可能な複数の散水突起１６が立設され、散水突起１６は先端に吐出孔１７を有し、吐出孔１７から板状の部分１５の裏面１５ｂまで貫通する湯水の吐出流路１８が形成された、弾性を有する散水プレート４とを備える。ヘッドカバー３の板状の部分８は、曲面形状の表面８ａと平面形状の裏面８ｂとを有する。散水プレート４の板状の部分１５は均一な厚さを有する。散水突起１６は、ヘッドカバー３の板状の部分８の表面８ａから外側に突出する長さを有し、突出部分の長さが均一であり、かつ、突出部分は、異物除去部１２を形成する。【選択図】図１
2014236926.tif 000002
【特許請求の範囲】
【請求項１】
湯水の導入流路が内部に形成されたヘッド本体と、
このヘッド本体の表面側に取り付け可能であり、板状の部分を有し、この板状の部分に複数の散水孔が表裏を貫通して形成された硬質のヘッドカバーと、
このヘッドカバーの裏面に取り付け可能であり、板状の部分を有し、この板状の部分の表面に、前記散水孔の各一つに一つずつ挿入可能な複数の散水突起が立設され、この散水突起は先端に吐出孔を有し、この吐出孔から前記板状の部分の裏面まで貫通する湯水の吐出流路が形成された、弾性を有する散水プレートと
を備えたシャワーヘッドであって、
前記ヘッドカバーの板状の部分は、曲面形状を有する表面と、平面形状を有する裏面とを有し、
前記散水プレートでは、前記板状の部分が均一な厚さを有し、前記複数の散水突起は、前記ヘッドカバーの前記板状の部分の表面から外側に突出する長さを有し、その突出部分の長さが均一であり、かつ、前記突出部分は、前記吐出流路内または前記吐出孔周辺の異物を弾性変形によって除去する異物除去部を形成する
ことを特徴とするシャワーヘッド。
【請求項２】
前記異物除去部は、０．５〜２ｍｍの長さを有していることを特徴とする請求項１に記載のシャワーヘッド。
【発明の詳細な説明】
【技術分野】
【０００１】
本発明は、湯水をシャワーとして吐出するシャワーヘッドに関する。
【背景技術】
【０００２】
湯水をシャワーとして吐出するシャワーヘッドについては、これまでに、様々な形状および構造を有するものが提供されてきている。たとえば、特許文献１に記載されたシャワーヘッドは、カバー、散水ケース、散水プレートおよび散水プレート押さえを備えている。カバーは、円筒状の形状を有し、シャワーヘッドの外郭を形成するものである。カバーの正面側には、内部に挿入される散水ケースと嵌合する切欠き部が形成されている。散水ケースは、カバーと同様に、円筒状の形状を有し、正面側に凸部が設けられている。また、散水ケースの表面には複数の散水孔が設けられている。散水プレートは、弾性体から形成され、表面には、湯水を吐出するための通水孔を有する複数の散水ニップルが設けられている。このような散水プレートの表面は、シャワーヘッドの軸方向が凹形状に、また、シャワーヘッドの軸方向に対して垂直方向が凸形状に形成されている。散水プレート押さえは、略角形状に形成され、左右方向に延びる横長の通水孔が設けられている。
【０００３】
上記のとおりのカバー、散水ケース、散水プレートおよび散水プレート押さえを備えたシャワーヘッドは、次のようにして組み立てられる。すなわち、散水プレートを散水ケースの上方から挿入した後、散水プレートの散水ニップルを散水ケースの散水孔に挿通させる。次いで、散水プレート押さえを散水ケースの上方から挿入し、表面を散水プレートの背面と当接させて配置させる。この後、散水ケースを下方からカバーの内部に挿入し、カバーの切欠き部に散水ケースの凸部を嵌合させる。
【０００４】
このようにして組み立てられるシャワーヘッドでは、カバーの内部に下方より供給される湯水が、散水プレート押さえの通水孔を通じて散水プレートに設けられた各散水ニップルに向かい、通水孔から吐出され、シャワーが実現される。散水プレートは、上記のとおり、シャワーヘッドの軸方向が凹形状に、また、シャワーヘッドの軸方向に対して垂直方向が凸形状に形成されている。このため、散水ケースの散水孔に挿通された散水ニップルが、シャワーヘッドの中心から外側に広がって配置される。したがって、シャワーヘッドの散水範囲は所望の広がりを持つ。
【先行技術文献】
【特許文献】
【０００５】
【特許文献１】特開２０１０−２２０９２７号公報
【発明の概要】
【発明が解決しようとする課題】
【０００６】
特許文献１に記載されたシャワーヘッドは、良好なシャワー機能に注目されるが、その使用にともなって水成分中のカルシウムに起因する水垢などの異物で散水プレートの散水ニップルの通水孔に目詰まりが生じることがある。このような場合、シャワーヘッドの組み立てと逆の手順で散水プレートを取り外して異物の除去を行う必要がある。したがって、特許文献１に記載されたシャワーヘッドについては、目詰まり時のメンテナンスが必ずしも容易ではないという問題が指摘される。
【０００７】
また、特許文献１に記載されたシャワーヘッドは、円筒形状のシャワーヘッドに限定されている。したがって、デザイン上の要請に応えるべく他の形状のシャワーヘッドとすることができない。
【０００８】
さらにまた、散水プレートを特殊な形状を有するものに成形する必要がある。つまり、散水プレートの表面は、上記のとおり、シャワーヘッドの軸方向を凹形状に形成され、かつシャワーヘッドの軸方向に対して垂直方向を凸形状に形成されなければならない。したがって、特許文献１に記載されたシャワーヘッドについては、散水プレートは弾性体から形成されるものではあるが、表面には通水孔を有する散水ニップルが複数設けられるので、散水プレートの設計と製造は必ずしも容易ではないという問題が指摘される。
【０００９】
本発明は、以上のとおりの事情に鑑みてなされたものであり、目詰まり時のメンテナンスが容易であり、デザイン上の要請に応えることができ、しかも設計と製造が容易なシャワーヘッドを提供することを課題としている。
【課題を解決するための手段】
【００１０】
上記の課題を解決するために、本発明のシャワーヘッドは、湯水の導入流路が内部に形成されたヘッド本体と、このヘッド本体の表面側に取り付け可能であり、板状の部分を有し、この板状の部分に複数の散水孔が表裏を貫通して形成された硬質のヘッドカバーと、このヘッドカバーの裏面に取り付け可能であり、板状の部分を有し、この板状の部分の表面に、散水孔の各一つに一つずつ挿入可能な複数の散水突起が立設され、この散水突起は先端に吐出孔を有し、この吐出孔から板状の部分の裏面まで貫通する湯水の吐出流路が形成された、弾性を有する散水プレートとを備えたシャワーヘッドであって、ヘッドカバーの板状の部分は、曲面形状を有する表面と、平面形状を有する裏面とを有し、散水プレートでは、板状の部分が均一な厚さを有し、複数の散水突起は、ヘッドカバーの板状の部分の表面から外側に突出する長さを有し、その突出部分の長さが均一であり、かつ、突出部分は、吐出流路内または吐出孔周辺の異物を弾性変形によって除去する異物除去部を形成することを特徴とする。
【００１１】
このシャワーヘッドにおいては、異物除去部は、０．５〜２ｍｍの長さを有していることが好ましい。
【発明の効果】
【００１２】
本発明のシャワーヘッドによれば、目詰まり時のメンテナンスが容易であり、デザイン上の要請に応えることができ、しかも設計と製造が容易である。
【図面の簡単な説明】
【００１３】
【図１】（ａ）は、本発明の一実施形態であるシャワーヘッドの側面図である。（ｂ）（ｃ）は、（ａ）のシャワーヘッドの分解斜視図であり、（ｂ）は、ヘッドカバーの表面側から示したものであり、（ｃ）は、ヘッドカバーの裏面側から示したものである。
【図２】図１（ａ）〜（ｃ）に示したシャワーヘッドにおける散水プレートの模式図であり、（ａ）は平面図、（ｂ）は正面図、（ｃ）は側面図である。
【図３】（ａ）は、図１に示したシャワーヘッドを備えたシャワー装置の要部斜視図であり、（ｂ）は（ａ）のＡ−Ａ線断面図であり、（ｃ）は（ａ）のＢ−Ｂ線断面図である。
【図４】本発明の別の一実施形態であるシャワーヘッドのヘッドカバーの散水孔周辺を拡大して示した断面図である。
【発明を実施するための形態】
【００１４】
図１（ａ）は、本発明の一実施形態であるシャワーヘッドの側面図である。図１（ｂ）（ｃ）は、（ａ）のシャワーヘッドの分解斜視図であり、（ｂ）は、ヘッドカバーの表面側から示したものであり、（ｃ）は、ヘッドカバーの裏面側から示したものである。図２は、図１（ａ）〜（ｃ）に示したシャワーヘッドにおける散水プレートの模式図であり、（ａ）は平面図、（ｂ）は正面図、（ｃ）は側面図である。また、図３（ａ）は、図１に示したシャワーヘッドを備えたシャワー装置の要部斜視図であり、図３（ｂ）は図３（ａ）のＡ−Ａ線断面図であり、図３（ｃ）は図３（ａ）のＢ−Ｂ線断面図である。なお、本明細書では、シャワーヘッドの構成部材においてシャワーとして湯水が吐出する側の面を表面とし、湯水が吐出する側の面とは反対側に位置する面を裏面としている。
【００１５】
図１（ａ）〜（ｃ）に示したように、シャワーヘッド１は、縦長形状を有するヘッド本体２と、ヘッド本体２の長さ方向の先端部の表面側に取り付け可能とされたヘッドカバー３と、ヘッドカバー３の裏面に取り付け可能とされた散水プレート４とを備えている。シャワーヘッド１は、図３（ａ）〜（ｃ）に示したように、表面側シャワーケース４２および裏面側シャワーケース４３からなるシャワーケース４１内に、ヘッドカバー３の表面が露出するように収められ、シャワー装置４０の一部を構成する。ヘッド本体２では、その長さ方向に延びる湯水の導入流路５が内部に形成されている。また、ヘッド本体２の表面には、複数の流出孔６が形成され、流出孔６は、導入流路５と流出流路７を介して連通している。流出流路７は、ヘッド本体２の厚さ方向に延び、ヘッド本体２の内部に形成されている。
【００１６】
図１（ｂ）に示したように、ヘッド本体２は、その長さ方向の先端部と先端部に隣接する２箇所に流路形成部３０が設けられている。流路形成部３０は、その外郭が、円筒状の側壁部３１と、平面視円形状の形状を有する板状の平板部３２とで構成される。隣接する２つの流路形成部３０の側壁部３１同士が連結されて２つの流路形成部３０が一体に形成されている。連結された２つの流路形成部３０の側壁部３１は、平面視雪だるま状の形状を有している。連結された２つの流路形成部３０の内部には、図３（ｂ）（ｃ）に示した導入流路５が形成されている。
【００１７】
流路形成部３０の平板部３２は、側壁部３１の表面側に設けられている。平板部３２の表面３２ａには、中心部に流出孔６が形成されている。また、平板部３２の表面３２ａの周縁には、平板部３２の表面３２ａから突出する周壁部３３が全周に亘って設けられている。本実施形態では、周壁部３３は、流路形成部３０の側壁部３１の一部として形成されている。また、周壁部３３の内側には、流出孔６の周辺３箇所に、平板部３２の表面３２ａから突出する支持部３４が等間隔に配置されている。支持部３４は、円柱状の形状を有している。周壁部３３および支持部３４は、散水プレート４を保持する押さえ部３５を構成し、散水プレート４を安定して保持可能なように、突出高さが略均一とされている。このようなヘッド本体２は、たとえば、硬質の樹脂、金属などから形成可能である。
【００１８】
図１（ａ）〜（ｃ）に示したように、ヘッドカバー３は、図３（ｂ）に示したヘッド本体２の長さ方向の先端部に対応する縦長形状を有している。ヘッドカバー３は、板状部８を板状の部分として有している。板状部８は、その外形形状が縦長形状であり、長さ方向両端部が円弧状に形成され、幅方向両端部の両辺が互いに平行に形成され、平面視略楕円状の形状を有している。板状部８の表面８ａは、曲面形状を有している。具体的には、長さ方向に凹状に反った形状を有し、幅方向に凸状に湾曲した形状を有している。板状部８の裏面８ｂは、平面形状を有している。したがって、板状部８の厚さは、表面形状に対応して異なっている。このようなヘッドカバー３の板状部８の表面形状は、本実施形態の形状に限らず、デザイン性の観点から、凸曲面形状、凹曲面形状、凹凸曲面形状など様々な表面形状であってよい。
【００１９】
板状部８には、その先端部と先端部に隣接する部分の２箇所に散水部９が設けられている。散水部９では、複数の円形の散水孔１０が、板状部８の表裏を貫通して形成されている。各散水部９では、散水孔１０は、内側と外側の２列として設けられ、内側に位置する散水孔１０の列と外側に位置する散水孔１０の列とは、同心円上に配置されている。また、散水部９では、板状部８の裏面から突出する周壁部１１が設けられ、周壁部１１は、ヘッドカバー３において散水部９を他の部位から区画している。周壁部１１は、平面視雪だるま状の形状を有しており、その内側にほぼ隙間なくヘッド本体２の流路形成部が収まるように形成されている。周壁部１１では、板状部８の先端部に位置する散水部９に対応する部分と、板状部８の先端部に隣接する部分に位置する散水部９に対応する部分とが、ともに、平面視略Ｃ字型の形状を有し、かつ同一の大きさを有している。この周壁部１１は、ヘッドカバー３がヘッド本体２の表面側に取り付けられるとき、このようなヘッドカバー３は、硬質の樹脂や金属などから形成することができ、剛性を有している。
【００２０】
図２（ａ）〜（ｃ）に示したように、散水プレート４は、ヘッドカバー３の裏面に設けられた周壁部１１の内側にほぼ隙間なく収まる大きさの平板部１５を板状の部分として有している。平板部１５の形状は、周壁部１１と同じ平面視雪だるま状の形状とされている。また、平板部１５は、全体にわたって均一な厚さを有し、その厚さは、周壁部１１の高さ以内とされている。ここで、均一な厚さとは、製造上の誤差を含んでいてもよい。たとえば板状の部分としての平板部１５において厚さが最も厚い部分の厚さと、厚さが最も薄い部分の厚さとの差が、厚さが最も厚い部分の厚さの１０％程度の誤差も許容される。このような平板部１５の表面には、円筒状の形状を有する複数の散水突起１６が立設されている。散水突起１６の外径は、ヘッドカバー３の散水部９に形成された散水孔１０の内径とほぼ同じ大きさとされ、かつ散水突起１６は、ヘッドカバー３の散水部９における散水孔１０の配置と同一とされている。すなわち、散水突起１６は、内側と外側の２列として平板部１５の表面１５ａに設けられ、内側に位置する散水突起１６の列と外側に位置する散水突起１６の列とは、同心円上に配置されている。したがって、散水突起１６は、その一つずつが、散水孔１０の各一つに挿入可能とされている。また、散水突起１６の突起長さは、対応する散水孔１０が形成されている板状部８の厚さを一定量越える長さを有している。すなわち、平板部１５に設けられた複数の散水突起１６は、その配置位置に対応するヘッドカバー３の板状部８の表面形状に応じて突起長さが異なって形成されている。なお、散水突起１６の突起長さは、平板部１５の表面から散水突起１６の先端までの長さと定義することができる。散水突起１６において、板状部８の表面８ａから外側に突出する部分は、後述するが、異物除去部１２として形成される。
【００２１】
また、散水突起１６は、先端に吐出孔１７を有し、散水プレート４では、図３（ｂ）（ｃ）に示したように、吐出孔１７から平板部１５の裏面１５ｂまで貫通する湯水の吐出流路１８が形成されている。吐出流路１８において平板部１５の裏面側に位置する部分の内径は、平板部１５の裏面１５ｂに向かうにしたがって拡大され、拡径部１９を形成している。拡径部１９によって、湯水を吐出流路１８の内部に導入しやすくしている。このような散水プレート４は、たとえば、ゴムや軟質の樹脂などから形成することができ、弾性を有している。
【００２２】
図１（ｂ）（ｃ）に示したように、散水プレート４は、散水突起１６の一つずつをヘッドカバー３の散水部９に形成された散水孔１０の各一つに挿入してヘッドカバー３の裏面に取り付けられる。取付状態では、散水プレート４の平板部１５の表面１５ａはヘッドカバー３の板状部８の裏面８ｂに重なり合い、しかも散水プレート４は弾性を有しているので、平板部１５が周壁部１１の内側にほぼ隙間なく嵌り込む。硬質のヘッドカバー３と散水プレート４の弾性とによって、散水プレート４のヘッドカバー３への取付状態は安定に保持される。湯水の吐出の際に水圧が加わっても、散水プレート４の取付位置にずれが生じるのが抑制される。また、取付状態では、散水孔１０に挿入された散水突起１６の先端部が、ヘッドカバー３の板状部８の表面８ａから外側に突出し、この突出部分が異物除去部１２を形成する。異物除去部１２を形成する散水突起１６の突出部分の長さは、複数の散水突起１６ともに均一とされている。このように、突出部分の長さが板状部８の表面全体において均一化されているので、ヘッドカバー３の表面のデザインが損なわれにくくなり、良好な外観を有するシャワーヘッド１を得る。ここで、散水突起１６の突出部分の長さが均一とは、すべての散水突起１６の突出部分の長さが同じという意味に限定して解釈されるものではない。ヘッドカバー３の表面のデザインが損なわれない程度の、散水突起１６間での突出部分の長さのバラツキも許容される。たとえば、突出部分の長さが最も長い散水突起１６の突出部分の長さと、突出部分の長さが最も短い散水突起１６の突出部分の長さとの差が、突出部分の長さが最も長い散水突起１６の突出部分の長さの１０％以内となっているバラツキも許容される。なお、突出部分の長さは、散水孔１０が形成されている箇所の板状部８の仮想表面の散水孔１０の中心から散水突起１６の長さ方向先端までの長さと定義することができる。
【００２３】
ヘッドカバー３は、そのように散水プレート４が板状部８の裏面８ｂに取り付けられた状態において、ヘッド本体２の表面側に取り付けられる。その取り付けは、嵌合、ビスなどの固着具を用いた固着などによって実現可能であり、Ｏリングなどを介在させることによって水密性を高めることもできる。取付状態では、ヘッド本体２の流路形成部３０の側壁部３１が周壁部１１の内側にほぼ隙間なく嵌り込む。また、散水プレート４の平板部１５の裏面１５ｂが押さえ部３５を構成する周壁部３３および支持部３４の先端部で押さえ付けられる。これによって、散水プレート４の平板部１５の表面１５ａがヘッドカバー３の板状部８の裏面８ｂに密着し、散水プレート４をより安定して保持することができる。こうして散水プレート４のヘッドカバー３への取付状態をより確実なものとすることができる。
【００２４】
取付状態では、また、散水プレート４の平板部１５の裏面１５ｂと押さえ部３５との当接によって、ヘッド本体２の平板部３２の表面３２ａと散水プレート４の平板部１５の裏面１５ｂとの間に、湯水の流入流路１４が形成される。流入流路１４は、流出孔６および流出流路７を通じて導入流路５と連通する。吐出流路１８は、拡径部１９を通じて流入流路１４と連通し、ヘッド本体２の導入流路５が、各散水突起１６の吐出孔１７と連通する。したがって、シャワーヘッド１は、導入流路５に導入された湯水を各吐出孔１７からシャワーとして噴出することができる。
【００２５】
シャワーヘッド１の使用にともなって水成分中のカルシウムなどに起因する水垢などの異物で散水突起１６の吐出流路１８に目詰まりが生じることがある。このような場合、板状部８の表面８ａから外側に突出している散水突起１６を指でこするなどして異物除去部１２に外力を与えて弾性変形させることによって、異物を取り出したり破砕したりする。こうして、シャワーヘッド１を分解して散水プレート４を取り外さなくても、異物の除去を容易に行うことができる。また、吐出孔１７の周辺、たとえばヘッドカバー３の散水孔１０内にも異物が付着し、蓄積することがある。この場合も散水突起１６を指でこするなどして異物除去部１２に外力を付与して弾性変形させることで、また散水突起１６を介して散水プレート４を弾性変形させることで、異物を取り出したり破砕したりするなど異物の除去を容易に行うことができる。このように散水突起１６はヘッドカバー３の板状部８の表面８ａから外側に突出する長さを有し、その突出部分が異物除去部１２を形成しているので、目詰まり時などのメンテナンスが容易である。ここで、異物除去部１２は、０．５〜２ｍｍの長さを有していることが好ましい。かかる長さを有する異物除去部１２は、異物の除去をより容易に行うことができる。また、湯水の吐出の際に水圧が加わってもその突出部分のぶれを抑制することができ、より安定して所定の範囲に散水することができる。さらにまた、ヘッドカバー３の表面のデザインに与える影響が小さく、より良好な外観を有するシャワーヘッド１を得ることができる。
【００２６】
また、ヘッドカバー３の板状部８の表面８ａは凸曲面形状、凹曲面形状、凹凸曲面形状など様々な表面形状に対応可能に曲面形状を有しているので、デザイン上の要請に応えることができる。したがって、特許文献１に記載されるように円筒形状のシャワーヘッドに限定されず、様々な形状に設計可能であり、汎用性に富む。しかも、ヘッドカバー３の板状部８の表面８ａから外側に突出する散水突起１６の突出部分の長さが均一化されているので、ヘッドカバー３の表面のデザインが損なわれず、良好な外観を有するシャワーヘッド１を得ることができる。
【００２７】
そして、散水プレート４の平板部１５は均一な厚さを有しているので、散水プレート４の設計と製造が容易となる。このような平板部１５の厚さが均一である散水プレート４は表面形状が異なる各種のヘッドカバー３と組み合わせて使用可能であり、シャワーヘッド１の設計と製造が容易である。
【００２８】
図４は、本発明の別の一実施形態であるシャワーヘッドのヘッドカバーの散水孔周辺を拡大して示した断面図である。図４では、図１−図３に示した実施形態と同じ部分には同一の符号を付し、その説明を省略する。
【００２９】
シャワーヘッド５０は、ヘッドカバー５１の散水部９に形成された散水孔１０の側面２１の一部を内側に傾斜させることもできる。側面２１の傾斜は、散水孔１０に挿入され、ヘッドカバー５１の板状部８の表面から外側に突出する散水突起１６が、下流側に向かって散水部９の外側方、すなわち、ヘッドカバー５１の外側に傾斜する向きとされている。このような側面２１の傾斜によって散水突起１６の配置が規制される。側面２１の傾斜は、散水孔１０のすべてまたは一部に設けることができる。シャワーヘッド５０では、散水孔１０の側面２１の一部が上記のとおりに傾斜しているので、散水孔１０に挿入される散水突起１６が、側面２１の傾斜方向に傾き、配置が規制される。このため、図４に示したように、散水突起１６の吐出孔１７から吐出する湯水の散水範囲Ｒが、ヘッドカバー５１の外側方に広がる。したがって、シャワーヘッド５０は、比較的小型のものであっても、シャワー機能に必要とされる散水範囲Ｒを実現することができる。しかもヘッドカバー５１は、硬質であり、製造上の寸法精度が高いため、弾性を有する散水プレート４の寸法にばらつきが生じても、そのばらつきにあまり影響されずに散水範囲Ｒの拡大を安定して実現することができる。
【００３０】
なお、散水孔１０の側面２１の傾斜は、たとえば、図４に示したように、散水孔１０の内側に突出する突起２２によって形成することができる。突起２２により側面２１の傾斜が容易に形成される。突起２２の形状については、散水孔１０の内周に沿った弧状または弓形などが例示される。
【００３１】
シャワーヘッド５０では、ヘッドカバー５１の散水部９の外側に位置する列の散水孔１０の側面２１の傾斜角θ１と、散水部９の内側に位置する列の散水孔１０の側面２１の傾斜角θ２とを異なる大きさの角度とすることができる。シャワーヘッド５０では、傾斜角θ１が傾斜角θ２よりも大きくなっている。すなわち、θ１＞θ２の関係としている。このように、θ１＞θ２の関係となるように散水孔１０の側面２１の傾斜を設定することによって、図４に示した散水範囲Ｒを拡大しつつ、散水部９の内側に位置する散水突起１６の吐出孔１７から吐出する湯水の量を確保することができる。シャワーヘッド５０を使用する使用者に心地よいシャワー感を与えることができ、しかも、シャワーによる洗浄力を高めるのに有効となる。傾斜角θ１、θ２の大きさは、シャワーヘッド５０の大きさや具体的な用途、また、散水突起１６の突起長さなどに応じて適宜決定することができる。
【００３２】
本発明は、以上の実施形態によって限定されるものではない。ヘッド本体、ヘッドカバーおよび散水プレートの形状や大きさ、また、これらを形成する材料の種類などについては様々な態様が可能である。
【符号の説明】
【００３３】
１，５０  シャワーヘッド
２  ヘッド本体
３，５１  ヘッドカバー
４  散水プレート
５  導入流路
８  ヘッドカバーの板状の部分としての板状部
８ａ  表面
８ｂ  裏面
１０  散水孔
１２  異物除去部
１５  散水プレートの板状の部分としての平板部
１５ａ  表面
１５ｂ  裏面
１６  散水突起
１７  吐出孔
１８  吐出流路
【図１】
2014236926.tif 000003
【図２】
2014236926.tif 000004
【図３】
2014236926.tif 000005
【図４】
2014236926.tif 000006